(57)【要約】【課題】眼鏡の構成部品を互いに隙間なく折り畳むことで、レンズを保護しつつ、携帯が容易で折り畳み可能な眼鏡フレームを提供する。【解決手段】左右の各リム１を接続するブリッジ２が、左部材２１と右部材２２の２つに分かれており、左部材２１と右部材２２が蝶番２３で接続され、左右の各テンプル４は、左右のいずれかのリム１と蝶番３を介して接続される部材４１と、ユーザの耳に掛けられる部材４２と、部材４１に対し部材４２を下方向に回動可能に接続する継手４３を有しており、前面同士が接合するように、前記左右の各リム１を折り畳み、部材４２を下方向に回動させ、部材４２の下辺が部材４１の下辺に接合するように、各テンプル４を折り畳み、部材４１の内側面が、蝶番３で接続されているリム１の後面に対向するように、各テンプル４を折り畳むことで、眼鏡フレームＡが折り畳まれた状態になる構成とした。【選択図】図１
2019179108.tif 000002
【特許請求の範囲】
【請求項１】
折り畳み可能な眼鏡フレームにおいて、
左右の各リムを接続するブリッジが、左部材と右部材の２つに分かれており、当該左部材と当該右部材が第１蝶番で接続され、
左右の各テンプルは、左右のいずれかのリムと第２蝶番を介して接続される第１部材と、ユーザの耳に掛けられ、第１部材に対し下方向に回動可能に接続された第２部材とを有しており、
前面同士が接合するように、前記左右の各リムを折り畳み、
前記第２部材を下方向に回動させ、当該第２部材の下辺が前記第１部材の下辺に接合するように、前記各テンプルを折り畳み、
前記第１部材の内側面が、前記第２蝶番で接続されているリムの後面に対向するように、前記各テンプルを折り畳むことで、
前記眼鏡フレームが折り畳まれた状態になることを特徴とする、折り畳み可能な眼鏡フレーム。
【請求項２】
前記第２部材の下辺が前記第１部材の下辺に接合するように折り畳まれた前記各テンプルの一側面の面積が、前記各リムの後面の面積と略同じであることを特徴とする、請求項１に記載の折り畳み可能な眼鏡フレーム。
【請求項３】
前記各テンプルの前記第２部材が伸縮自在であることを特徴とする、請求項１又は２のいずれかに記載の折り畳み可能な眼鏡フレーム。
【請求項４】
左右の前記各リムには、鼻当てが左右方向に回動可能に設けられており、
前記第１部材と、当該第１部材と下方向に回動可能に接続された第２部材とは、継手を介して接続されており、
前記継手の外側には、前記鼻当てを嵌合可能な嵌合孔が設けられており、
前記眼鏡フレームが折り畳まれた状態で、
前記鼻当てを回動させて、前記嵌合孔に嵌め込み可能としたことを特徴とする、請求項１〜３のいずれかに記載の折り畳み可能な眼鏡フレーム。
【請求項５】
前記第１蝶番、又は前記第２蝶番が、所定の角度で停止可能であることを特徴とする、請求項１〜４のいずれかに記載の折り畳み可能な眼鏡フレーム。
【請求項６】
前記継手が、所定の角度で停止可能であることを特徴とする、請求項４に記載の折り畳み可能な眼鏡フレーム。
【発明の詳細な説明】
【技術分野】
【０００１】
本発明は、主に老眼鏡、サングラス、又は近視用・遠視用眼鏡に用いられる折り畳み可能な眼鏡フレームに関する。
【背景技術】
【０００２】
従来、老眼鏡等の眼鏡を外して携帯する場合、そのままバッグやポケットに入れて持ち運ぶと、レンズに傷がついたり、フレームが曲がってしまう等、眼鏡が破損する危険性があった。そのため、眼鏡は、眼鏡ケースに入れて携帯するのが一般的である。
【０００３】
しかし、眼鏡を眼鏡ケースに入れて携帯すると嵩張り、バッグ内やポケット内の大きな部分を占めてしまう。
【０００４】
ところで、携帯時に小さくまとまるように、折り畳み式の眼鏡が既に開示されている。
【０００５】
例えば、特許文献１では、テンプル（着用者等のユーザの耳に掛けられる、つるの部品）の部分のみを、後方水平状態から、下方を通り、レンズ前方に約１８０度回動させ、この前方水平状態から、テンプルエンド部を取付部分と反対側のレンズ裏面に下方より曲げ廻り込ませ、レンズ裏面と、パッド足部により挟持停止させる構成が開示されている。即ち、特許文献１では、眼鏡のテンプルの部分のみを折り畳んで固定する構成が開示されている。
【０００６】
また、特許文献２では、１本または２本の、はめ込み式または据え付け式のブリッジ（左右のリムを接続し、着用者等のユーザの鼻に架かる部品）があり、ブリッジの丁番かつ／またはバネ付丁番により、レンズまたはレンズ相当部を外側、内側、かつ／または上向きにも折り畳むことができる構成が開示されている。即ち、特許文献２では、ブリッジに設けられた丁番（蝶番）により、レンズを折り畳む構成が開示されている。なお、上記「リム」は、左右いずれかのレンズを入れて・嵌め込む枠である。
【先行技術文献】
【特許文献】
【０００７】
【特許文献１】特開２００１−００４９６１号公報
【特許文献２】特開２０１０−５３０９８２号公報
【発明の概要】
【発明が解決しようとする課題】
【０００８】
しかしながら、上記特許文献１及び２では、折り畳まれた状態で、眼鏡の部品同士が密着していないため、周囲からの圧力に弱く、眼鏡の部品に傷がついたり、フレームが曲がってしまう等、眼鏡が破損してしまう危険性がある。
【０００９】
特にレンズは、眼鏡の構成部品の中でも、周囲からの圧力に弱い。破損までいかなくても、傷がつくだけで視えづらくなるからである。しかし、上記特許文献１及び２では、折り畳まれた状態で、レンズが保護・被覆されていないため、傷、埃、破損等からレンズを守ることができない。
【００１０】
そこで本発明は、上記問題点に対処するため、眼鏡の構成部品を互いに隙間なく折り畳むことで、レンズを保護しつつ、携帯が容易で折り畳み可能な眼鏡フレームを提供することを目的とする。
【課題を解決するための手段】
【００１１】
前記目的を達成するため、請求項１に係る発明は、
折り畳み可能な眼鏡フレームにおいて、
左右の各リムを接続するブリッジが、左部材と右部材の２つに分かれており、当該左部材と当該右部材が第１蝶番で接続され、
左右の各テンプルは、左右のいずれかのリムと第２蝶番を介して接続される第１部材と、ユーザの耳に掛けられ、第１部材に対し下方向に回動可能に接続された第２部材とを有しており、
前面同士が接合するように、前記左右の各リムを折り畳み、
前記第２部材を下方向に回動させ、当該第２部材の下辺が前記第１部材の下辺に接合するように、前記各テンプルを折り畳み、
前記第１部材の内側面が、前記第２蝶番で接続されているリムの後面に対向するように、前記各テンプルを折り畳むことで、
前記眼鏡フレームが折り畳まれた状態になる、折り畳み可能な眼鏡フレームとした。
【００１２】
また、請求項２に係る発明は、
前記第２部材の下辺が前記第１部材の下辺に接合するように折り畳まれた前記各テンプルの一側面の面積が、前記各リムの後面の面積と略同じである、請求項１に記載の折り畳み可能な眼鏡フレームとした。
【００１３】
また、請求項３に係る発明は、
前記各テンプルの前記第２部材が伸縮自在である、請求項１又は２のいずれかに記載の折り畳み可能な眼鏡フレームとした。
【００１４】
また、請求項４に係る発明は、
左右の前記各リムには、鼻当てが左右方向に回動可能に設けられており、
前記第１部材と、当該第１部材と下方向に回動可能に接続された第２部材とは、継手を介して接続されており、
前記継手の外側には、前記鼻当てを嵌合可能な嵌合孔が設けられており、
前記眼鏡フレームが折り畳まれた状態で、
前記鼻当てを回動させて、前記嵌合孔に嵌め込み可能とした、請求項１〜３のいずれかに記載の折り畳み可能な眼鏡フレームとした。
【００１５】
また、請求項５に係る発明は、
前記第１蝶番、又は前記第２蝶番が、所定の角度で停止可能である、請求項１〜４のいずれかに記載の折り畳み可能な眼鏡フレームとした。
【００１６】
また、請求項６に係る発明は、
前記継手が、所定の角度で停止可能である、請求項４に記載の折り畳み可能な眼鏡フレームとした。
【発明の効果】
【００１７】
本発明によれば、折り畳まれると、眼鏡の構成部品同士が密着するため、周囲からの圧力に強く、破損しない。また、折り畳まれると、レンズが他の構成部品で被覆・保護されるため、傷、埃、破損等から、レンズを守ることができる。
【図面の簡単な説明】
【００１８】
【図１】本実施の形態例の眼鏡フレームの全体的な構成を示した図である。
【図２】本実施の形態例の眼鏡フレームが折り畳まれていく一状態を示した図である。
【図３】本実施の形態例の眼鏡フレームが折り畳まれていく一状態を示した図である。
【図４】本実施の形態例の眼鏡フレームが折り畳まれていく一状態を示した図である。
【図５】本実施の形態例に係る折り畳まれた状態の眼鏡フレームと、ネックレスを示した図である。
【図６】本実施の形態例に係る折り畳まれた状態の眼鏡フレームをネックレスに留めた状態を示した図である。
【図７】他の実施の形態例に係る眼鏡フレームのテンプルの構成を示した図である。
【発明を実施するための形態】
【００１９】
以下、添付図面を参照して本発明に係る実施の形態例を詳細に説明する。ただし、この実施の形態例に記載されている構成要素はあくまでも例示であり、本発明の範囲をそれらのみに限定する趣旨のものではない。
【００２０】
＜眼鏡フレームＡの構成＞
眼鏡フレームＡは、図１に示すように、主として、左右いずれかのレンズを入れて・嵌め込む枠である一対のリム１と、左右の各リム１の一端と接続され、眼鏡フレームＡを掛けた際に、着用者等のユーザの鼻に架かるブリッジ２と、左右の各リム１の他端と蝶番３（第２蝶番の一例）を介して一端で接続されるテンプル４を有している。
【００２１】
なお、図１〜６では、左右の各リム１に嵌め込まれる各レンズが、省略されている。また、左右の各リム１に嵌め込まれる各レンズの厚さは、各リム１の厚さ以下であることが望ましい。各レンズの厚さが各リム１の厚さを超えると、レンズがリム１からはみ出てしまい、眼鏡フレームＡが折り畳まれた際に、他方のレンズやテンプル４等の他の構成部品と接触し、傷がついたり、折り畳みを阻害してしまうからである。
【００２２】
ブリッジ２と接続される、左右の各リム１の一端側の下方には、クリングス１１を介して、眼鏡フレームＡを掛けた際に、着用者等のユーザの鼻が当たる鼻当て（鼻パッド）１２が夫々設けられている。なお「クリングス」は、鼻当てを支持する部材である。そして、各鼻当て１２及び対応する各クリングス１１は、各リム１に対して、左右方向に回動可能に設けられている。但し、各鼻当て１２及び対応する各クリングス１１は、鼻当て１２が着用者等のユーザの鼻に当たる位置で、固定可能な構成であることが望ましい。着用者等のユーザが、眼鏡フレームＡを掛けた際に、各鼻当て１２及び対応する各クリングス１１が回動しない（固定されている）方が、良いからである。なお、本実施例では、各鼻当て１２に、対応する各クリングス１１が設けられている構成を示したが、この構成に限定されるものではなく、例えば、クリングス１１を有さず、各鼻当て１２が直接、各リム１の一端側の下方に設けられている構成としても良い。
【００２３】
ブリッジ２は、主に、左部材２１、右部材２２、及び左部材２１と右部材２２とを接続する蝶番（ヒンジ）２３（第１蝶番の一例）を有している。このようにブリッジ２が左部材２１と右部材２２の２つに分かれて構成され、左部材２１と右部材２２を蝶番２３で接続していることによって、眼鏡フレームＡの着用者等のユーザは、ブリッジ２を、蝶番２３を支点として、前後方向に２つに折り畳むことで、左右の各リム１を、前後方向に２つに折り畳んで、各リム１の前面同士、あるいは後面同士を接合させる。
【００２４】
各テンプル４は、主に、各リム１の他端と蝶番３を介して接続される部材４１（第１部材の一例）と、着用者等のユーザの耳に掛けられる部材４２（第２部材の一例）と、部材４１に対し部材４２を下方向に回動可能に接続する継手４３を有している。このように、各テンプル４は、継手４３を介して、部材４１に対し部材４２が下方向に回動可能に接続されている。詳しくは、図５に示すように、部材４１は、継手４３の内部に設けられた軸４４によって支持されている。また、部材４２は、継手内部に設けられた軸４５によって支持されている。そのため、テンプル４は、図２に示すように、部材４２を下方向に回動させ、図３に示すように、部材４２の下辺が部材４１の下辺に接合するようにすれば、継手４３を支点として上下方向に２つに折り畳むことができる。
【００２５】
なお、本実施例では、各テンプル４は、継手４３を介して、部材４１に対し部材４２が下方向に回動可能に接続されている構成を示したが、この構成に限定されるものではなく、例えば、継手４３を用いることなく、部材４１に対し部材４２が下方向に回動可能に接続されている構成としても良い。例えば、図７に示すように、部材４１の後端下部と、部材４２の前端下部とを、軸４６で接続する構成としても良い。
【００２６】
また、図４に示すように、各テンプル４は、折り畳まれた状態の高さ（部材４１の上辺から部材４２の上辺まで）が、各リム１の高さと略同じである。また、各テンプル４は、折り畳まれた状態の横幅（部材４１又は部材４２の一側辺から継手４３まで）が、各リム１の横幅と略同じである。即ち、折り畳まれた各テンプル４の、一側面の面積は、各リム１の前面及び後面の面積と略同じである。
【００２７】
また、継手４３の外側の適宜の箇所には、鼻当て１２を嵌め込むことができる嵌合孔４３１が設けられている。なお、本実施の形態例では、嵌合孔４３１は継手４３の部材４２付近の外側面に設けられている（図１参照）。但し、嵌合孔４３１の位置は、この構成に限定されるものではなく、例えば、継手４３の上面に設ける構成としても良い。
【００２８】
このような構成であることによって、折り畳まれた状態の各テンプル４が、各リム１の嵌め込まれているレンズを含む後面全体を被覆・保護する。
【００２９】
また、このように眼鏡フレームＡは、折り畳まれると、各構成部品が密着するため、どこかにぶつかったり、かばんの中で他の荷物につぶされたり等の周囲からの圧力に強く、破損しない。
【００３０】
＜眼鏡フレームＡの携帯性について＞
眼鏡フレームＡは、折り畳んでポケットやかばんの中に入れて携帯することが可能であるが、図５及び図６に示すように、留め具５１を用いて、折り畳まれた状態の眼鏡フレームＡを、着用者等のユーザが首に掛けているネックレス５に留めることで、ネックレスとして、眼鏡フレームＡを携帯することも可能である。このような構成とすることにより、眼鏡フレームＡの携帯時の煩わしさ（かばんに眼鏡フレームＡを入れ忘れる場合がある。かばんに入っている眼鏡フレームＡを取り出すのが面倒である）を軽減することができる。特に例えば、眼鏡フレームＡを老眼鏡として使用する、あるいは、サングラスとして使用する等、通常は眼鏡フレームＡを着用せず、所定の場面でのみ着用する場合に、便宜である。
【００３１】
＜眼鏡フレームＡの折り畳み方法＞
次に、眼鏡フレームＡの折り畳み方法について、説明する。ここでは、説明の便宜上、着用者等のユーザが掛けることができる眼鏡フレームＡが開いた眼鏡の状態から、折り畳んでネックレス５に留めるまでについて説明する。
【００３２】
まず、図２及び図３に示すように、左右の各リム１の前面同士が接合するように、ブリッジ２の蝶番２３を支点として、左右の各リム１を前方向に２つに折り畳んでいく。
【００３３】
併せて、図２に示すように、各テンプル４の部材４２を、継手４３を支点として下方向に回動させ、図３に示すように、部材４２の下辺が部材４１の下辺に接合するようにして、テンプル４を上下方向に２つに折り畳む。
【００３４】
また、図３に示すように、部材４１の内側面が、蝶番３で接続されているリム１の後面に対向するように、蝶番３を支点として、上下方向に２つ折り畳まれた状態のテンプル４を折り畳んでいく。
【００３５】
「リム１を折り畳む」、「テンプル４の部材４１と部材４２を折り畳む」、「テンプル４の部材４１をリム１の後面に対向するように折り畳む」といった、これら３つの手順を終えると眼鏡フレームＡの折り畳みは完了し、眼鏡フレームＡは折り畳まれた状態となる。その後、各鼻当て１２を回動させて、嵌合孔４３１に嵌め込む。このように、鼻当て１２を回動させて、この嵌合孔４３１に嵌め込むことで、鼻当て１２が、収納される。また、鼻当て１２の嵌合孔４３１への嵌め込みが、ストッパーとなり、眼鏡フレームＡが折り畳まれた状態が保持される。
【００３６】
そして、図５及び図６に示すように、折り畳まれた状態の眼鏡フレームＡを、留め具５１を用いて、ネックレス５に留める。
【００３７】
ネックレス５に留められ、折り畳まれた状態の眼鏡フレームＡを、開いて眼鏡の状態にする場合は、上記と逆の流れになることは、言うまでもない。
【００３８】
また、上記では、「リム１を折り畳む」、「テンプル４の部材４１と部材４２を折り畳む」、「テンプル４の部材４１をリム１の後面に対向するように折り畳む」という流れで記載したが、これは説明の便宜上のものであって、この流れに限定されるものではなく、順不同である。また、３つの手順を同時に行う構成としても良い。
【００３９】
＜変形例１＞
上述したように、部材４２を下方向に回動させて、折り畳まれた状態の各テンプル４が、各リム１の嵌め込まれているレンズを含む後面全体を被覆・保護するために、折り畳まれた各テンプル４の、一側面の面積は、各リム１の前面及び後面の面積と略同じである。
【００４０】
しかし、この場合、各リム１の横幅によって、各テンプル４の部材４１及び部材４２の長さは、決まってしまう。一方、眼鏡フレームＡの着用者等のユーザの顔（頭）の奥行き、つまり、ユーザの顔の前面から耳までの長さは、各ユーザで異なる。そのため、ユーザによっては、テンプル４が長過ぎる、あるいは短か過ぎてしまう場合がある。
【００４１】
そこで、部材４１及び／又は部材４２が、太さの異なる複数の部材が組合わされた、テンプル４の長手方向に伸縮自在な構成であっても良い（図示省略）。このような構成であることで、眼鏡フレームＡが開いた眼鏡の状態で、テンプル４の部材４２等を伸縮させて、テンプル４の長さを調整することができ、便宜である。
【００４２】
＜変形例２＞
左右の各リム１の他端とテンプル４を接続する蝶番３、ブリッジ２の左部材２１と右部材２２を接続する蝶番２３、及び／又はテンプル４の部材４１と部材４２を接続する継手４３は、所定の角度で停止可能な構成である方が望ましい。このように、眼鏡フレームＡに設けられている蝶番3等が、所定の角度で停止可能な構成あることによって、眼鏡フレームＡが開いた眼鏡の状態、あるいは折り畳まれた状態で保持され、着用者等のユーザが意図せずに眼鏡フレームＡが、折り畳まれたり開いたりすることがなくなり、便宜である。
【００４３】
なお例えば、蝶番３等が、所定の角度で停止可能な構成については、蝶番３の上部部材と下部部材の接合面において、上部部材からボール部材が突出され、下部部材に設けられた嵌合孔にボール部材が嵌ると、仮保持される構成で実現可能である（図示省略）。但し、蝶番３等が、所定の角度で停止可能な構成については、種々の構成が公知であるため、詳しい説明を省略する。
【００４４】
例えば、蝶番３は、眼鏡フレームＡが開いた眼鏡の状態の、部材４１の内側面とリム１の後面からなる角度が「９０°」、「８５°」、「８０°」、「７５°」、又は「７０°」と、眼鏡フレームＡが折り畳まれ、部材４１の内側面とリム１の後面が接合した状態で、部材４１の内側面とリム１の後面からなる角度が「２０°」、「１５°」、「１０°」、「５°」又は「０°」で、夫々停止可能な構成である方が望ましい。
【００４５】
例えば、蝶番２３は、眼鏡フレームＡが開いた眼鏡の状態の、左部材２１の前面と右部材２２の前面とからなる角度が「１６０°」、「１６５°」、「１７０°」、又は「１８０°」と、眼鏡フレームＡが折り畳まれ、各リム１の前面同士が接合した状態で、左部材２１の前面と右部材２２の前面とからなる角度が「０°」で、夫々停止可能な構成である方が望ましい。
【００４６】
例えば、継手４３は、眼鏡フレームＡが開いた眼鏡の状態の、部材４１の下辺と部材４２の下辺からなる角度が「１６０°」、「１６５°」、「１７０°」、又は「１８０°」と、眼鏡フレームＡが折り畳まれ、部材４２の下辺が部材４１の下辺に接合した状態で、部材４１の下辺と部材４２の下辺からなる角度が「０°」で、夫々停止可能な構成である方が望ましい。
【符号の説明】
【００４７】
Ａ：眼鏡フレーム、
１：リム、１１：クリングス、１２：鼻当て、
２：ブリッジ、２１：左部材、２２：右部材、２３：蝶番、
３：蝶番、
４：テンプル、４１：部材、４２：部材、４３：継手、４４：軸、４５：軸、４６：軸、４３１：嵌合孔、
５：ネックレス、５１：留め具
【図１】
2019179108.tif 000003
【図２】
2019179108.tif 000004
【図３】
2019179108.tif 000005
【図４】
2019179108.tif 000006
【図５】
2019179108.tif 000007
【図６】
2019179108.tif 000008
【図７】
2019179108.tif 000009